(57)【要約】【課題】鮮明な発現が可能な不可視画像を形成するとともに、不可視画像を発現させた時に可視画像によって視認性が阻害されない偽造防止用形成体を提供する。【解決手段】基材に、第１の画線領域と第２の画線領域が第１の間隔で交互に第１の方向に配置され、第３の画線領域と第４の画線領域が第１の間隔で交互に第２の方向に配置され、第５の画線領域と第６の画線領域が第２の間隔で交互に第３の方向に配置され、第７の画線領域と第８の画線領域が第２の間隔で交互に第４の方向に配置され、それぞれに所定の規則によって画線が配置されることによって第１乃至第４の不可視画像が形成される。【選択図】図１０
2010253750.tif 000002
【特許請求の範囲】
【請求項１】
基材に、第１の画線領域と第２の画線領域が第１の間隔で交互に第１の方向に配置され、第３の画線領域と第４の画線領域が第１の間隔で交互に第２の方向に配置され、第５の画線領域と第６の画線領域が第２の間隔で交互に第３の方向に配置され、第７の画線領域と第８の画線領域が第２の間隔で交互に第４の方向に配置され、
隣接する前記第１の画線領域と前記第２の画線領域において、前記第１の画線領域内に第１の画線又は前記第２の画線領域内に第２の画線の一方が配置されることで第１の不可視画像が形成され、
隣接する前記第３の画線領域と前記第４の画線領域において前記第３の画線領域内に第３の画線又は前記第４の画線領域内に第４の画線の一方が配置されることで第２の不可視画像が形成され、
隣接する前記第５の画線領域と前記第６の画線領域において、前記第５の画線領域内に第５の画線又は前記第６の画線領域内に第６の画線の一方が配置されることで第３の不可視画像が形成され、
隣接する前記第７の画線領域と前記第８の画線領域において、前記第７の画線領域内に第７の画線又は前記第８の画線領域内に第８の画線の一方が配置されることで第４の不可視画像が形成されることを特徴とする偽造防止用形成体。
【請求項２】
前記第１の画線と前記第２の画線の面積が同一又は略同一で、かつ、色彩が等色であり、前記第３の画線と前記第４の画線の面積が同一又は略同一で、かつ、色彩が等色であり、前記第５の画線と前記第６の画線の面積が同一又は略同一で、かつ、色彩が等色であり、前記第７の画線と前記第８の画線の面積が同一又は略同一で、かつ、色彩が等色であることを特徴とする請求項１記載の偽造防止用形成体。
【請求項３】
前記第１の画線領域、前記第２の画線領域、前記第３の画線領域、前記第４の画線領域、前記第５の画線領域、前記第６の画線領域、前記第７の画線領域及び前記第８の画線領域において、いずれかの領域が交差する領域はいずれの画線も形成しないことを特徴とする請求項１又は２記載の偽造防止用形成体。
【請求項４】
前記第１の画線、前記第２の画線、前記第３の画線、前記第４の画線、前記第５の画線、前記第６の画線、前記第７の画線及び前記第８の面積が同一又は略同一で、かつ、色彩が等色であることを特徴とする請求項１乃至３いずれか一項記載の偽造防止用形成体。
【請求項５】
前記第１の画線の前記第２の画線の色彩と、前記第３の画線の前記第４の画線の色彩と、前記第５の画線の前記第６の画線の色彩と、前記第７の画線の前記第８の画線の色彩が相互に異なることを特徴とする請求項１乃至３いずれか一項記載の偽造防止用形成体。
【請求項６】
前記第１の画線、前記第２の画線、前記第３の画線、前記第４の画線、前記第５の画線、前記第６の画線、前記第７の画線及び前記第８の画線の画線幅と、前記交差する領域の幅が略同一であることを特徴とする請求項１乃至５のいずれか一項に記載の偽造防止用形成体。
【請求項７】
前記第１の方向に対して、第２の方向は９０度、第３の方向は４５度、第４の方向は１３５度で形成されることを特徴とする請求項１乃至６のいずれか一項に記載の偽造防止用形成体。
【請求項８】
前記第１の画線、前記第２の画線、前記第３の画線、前記第４の画線、前記第５の画線、前記第６の画線、前記第７の画線及び前記第８の画線の画線は、それぞれ長方形の形状、それぞれ楕円形の形状、それぞれ半円形以下の形状、それぞれ多角形の形状であることを特徴とする請求項１乃至７のいずれか一項に記載の偽造防止用形成体。
【請求項９】
前記第１の画線、前記第２の画線、前記第３の画線、前記第４の画線、前記第５の画線、前記第６の画線、前記第７の画線及び前記第８の画線は、光輝性材料を含むインキで印刷され、
前記第１の画線、前記第２の画線、前記第３の画線、前記第４の画線、前記第５の画線、前記第６の画線、前記第７の画線及び前記第８の画線の少なくとも一部の画線上に、無色透明材料を用いてベタ刷りにより所望の模様を形成することを特徴とする請求項１乃至８のいずれか一項に記載の偽造防止用形成体。
【請求項１０】
前記第１の画線領域、前記第２の画線領域、前記第３の画線領域、前記第４の画線領域、前記第５の画線領域、前記第６の画線領域、前記第７の画線領域及び前記第８の画線領域が存在しない領域に配置された第９の画線領域を更に有し、前記第９の画線領域に第９の画線が形成されることにより可視画像が形成されることを特徴とする請求項１乃至９のいずれか一項に記載の偽造防止用形成体。
【請求項１１】
前記第９の画線は、光輝性材料を含むインキで印刷され、
前記第９の画線の少なくとも一部の画線上に、無色透明材料を用いてベタ刷りにより所望の模様を形成することを特徴とする請求項１０のいずれか一項に記載の偽造防止用形成体。
【請求項１２】
前記第１の画線、前記第２の画線、前記第３の画線、前記第４の画線、前記第５の画線、前記第６の画線、前記第７の画線及び前記第８の画線は、光輝性材料を含むインキで印刷され、
前記第９の画線上に、前記第９の画線と同じ若しくは小さい画線面積から成る任意の有色インキで印刷された第１０の画線を更に備え、前記第１０の画線によって第２の可視画像が形成されていることを特徴とする請求項１０のいずれか一項記載の偽造防止用形成体。
【発明の詳細な説明】
【技術分野】
【０００１】
本発明は、銀行券、株券、債券等の有価証券、各種証明書及び重要書類等の偽造防止又は複製防止が必要とされる偽造防止用形成体に関するものである。
【背景技術】
【０００２】
一般的に証明書類の貴重印刷物では、偽造防止効果を与えるために様々な技術が適用されているが、近年、カラー複写機の高画質化及びカラー製版技術のコンピュータ化に伴い、証明書類の偽造技術が多様化する傾向にある。これに伴う証明書類の偽造防止策も、高度化することによって対応してきた。しかし、その一方で、偽造防止策に費やす製造コストも上がり、偽造防止効果を確認する環境を得るために特殊な機械器具から成る専用設備を導入するなど、真偽判定にて高コストとなる場合があった。
【０００３】
低コストで真偽判定を可能にする有用な方法に、印刷物上に判別具を重ねて行う技術がある。つまり、不可視画像が施されている印刷物に判別具を重ねることによって、不可視画像を可視画像として発現させるもので、この判別具の主な形態は、平行線スクリーンを印刷した透明シート（以下「万線フィルタ」という。）であったり、レンチキュラーレンズであったりする。この判別具を用いて不可視画像を発現させる技術は、主に二種類の方法があり、点位相変調（Dot phase modulation）と線位相変調（Line phase modulation）とが存在する。
【０００４】
このような万線フィルタから成る判別具を重ね合わせることにより潜像画像が発現する印刷物とその真偽判別方法としては、万線（又は網点）画線で印刷した背景画像部と、背景画像部と異なる位相の万線（又は網点）画線で印刷した潜像画像部とを有する印刷物が存在する。当該印刷物の背景画像部と潜像画像部は、区分けして視認することが一見困難であるが、万線フィルタを印刷物に所定の位置で重ね合わせた場合には、背景画像部と潜像画像部を区分けして視認できる方法が知られている。
【０００５】
点位相変調（Dot phase modulation）の一例としては、第１の方向と第２の方向に位相変調されたパターンが形成された印刷物と、当該印刷物の第1の方向と万線状フィルタの万線状パターンの方向とを一致するように前記万線状フィルタを重ね合わせることにより形成される第１の多階調画像と、前記万線状フィルタの重ね合わせる角度を前記印刷物の第２の方向に一致するように変えると第２の多階調画像が形成された印刷物及び画像形成法がある（例えば、特許文献１参照）。
【０００６】
また、点位相変調（Dot phase modulation）の一例としては、基材上に、レンズアレイ（ハエの目レンズ、ハニカムレンズ、レンチキュラーレンズ等）を重ねることにより画像が現れるドットパターンを構成するそれぞれのドットが、少なくとも二種類以上のスクリーン線数で、かつ、少なくとも二種類以上のスクリーン角度の網点から成る印刷物において、真正物であればドットパターンを構成するそれぞれのドットの網点面積率が同じであるため、レンズアレイを重ねることにより不可視画像が発現し、複写物の場合は、コピーすることによりスクリーン線数の大きさ又は網点角度で再現されるドットが潰れ、ドットの濃度が変化することにより前記不可視画像と異なる画像が発現する印刷物がある（例えば、特許文献２参照）。
【０００７】
また、海外の点位相変調（Dot phase modulation）の一例としては、アストロン・デザイン社（オランダ）のイソグラム（Isogram）がある（例えば、非特許文献１３４０頁参照）。これは、一見して均一な濃度を有する平坦な模様の中に、拡大すると微細な網点の位相によって不可視画像が施され、印刷物上に専用のシートを重ねると、ネガポジ状のどちらかに可視画像化されたものである。しかし、これは、均一な濃度を有する平坦な模様故に、鮮明に画像を発現させることができない。
【０００８】
また、本願出願人等は、点位相変調（Dot phase modulation）を用いた印刷物に関する特許出願を行っている。これは、基材上に複数の等色の画素が規則的に配列されて二つの潜像模様が形成された潜像印刷物であって、前記複数の画素において、第１の方向に位相をずらして配列された第１の領域による第１の潜像模様（不可視画像）と、機能性を有するインキにより印刷された第２の領域による第２の潜像模様（不可視画像）とを有する（例えば、特許文献３参照）。
【０００９】
線位相変調（Line phase modulation）の一例としては、基材上に、線部と非線部を有し、同一ピッチ及び幅から成る万線パターンに対し、万線位相を２分の１ピッチずらして形成された潜像部を備えている複数種の潜像万線パターンが、それぞれ異なる角度で重ね合わされて印刷された潜像を有する印刷物であって、前記複数種の潜像万線パターンがそれぞれ色違いであることを特徴とする印刷物と、前記印刷物の万線パターンと同一ピッチのフィルムを前記複数種の不可視画像に重ね合わせることにより潜像部が可視画像化されたものがある（例えば、特許文献４参照）。
【００１０】
また、海外の線位相変調（Line phase modulation）を用いた印刷物には、ユラ社（ハンガリー）のＨＩＴ（Hidden Image Technology）がある（非特許文献１３４１頁参照）。一見して均一な濃度を有する平坦な模様の中に、拡大すると微細な万線の位相によって不可視画像が施され、印刷物上に専用のシートを重ねると、ネガポジ状のどちらかに可視画像化される。なお、印刷物では通常視でも不可視画像が確認できてしまうおそれがあるため、カムフラージュ模様として万線の一部の画線幅を変化させて可視画像を設けている。また、白抜き画線によって可視画像を設けてもよい。ただし、このカムフラージュ模様は、専用のシートを重ねて不可視画像を可視画像化した際、カモフラージュ模様も可視画像として同時に発現するので、不可視画像の発現時の視認性を阻害するという問題がある。
【００１１】
一般的に、点位相変調（Dot phase modulation）又は線位相変調（Line phase modulation）により形成された模様は、平坦な形状となっている。
【００１２】
また、画像形成シート上に、単位ブロック内をｍ列ｎ行に等形上分割した各々最小単位ブロックｂ１、ｂ２、ｂ３、ｂ４、・・・を、それぞれ１単位画素ｇ１、ｇ２、ｇ３、ｇ４、・・・とする各々潜像画像Ｇ１、Ｇ２、Ｇ３、Ｇ４、・・・が形成され、その単位画素ｇ１、ｇ２、ｇ３、ｇ４、・・・は、万線本数１本分以上の万線により構成される万線パターンであって、ピッチｐ１、ｐ２、ｐ３、ｐ４、・・・の各々万線ピッチｐと、角度θ１、θ２、θ３、θ４・・・の各々万線角度θの万線により構成される、異なる各々万線パターンのうち、いずれかの万線パターンにより構成された偽造防止用画像形成体であり、１単位画素ｇ１、ｇ２、ｇ３、ｇ４、・・・を構成する万線パターンと、同一の万線ピッチｐ及び万線角度θの万線により構成されるそれぞれ異なる万線パターンを、透明シートに形成した顕像化用の万線シートを重ね合わせることで、潜像画像Ｇ１、Ｇ２、Ｇ３、Ｇ４、・・・が顕像化するようにした偽造防止用画像形成体が提案されている（例えば、特許文献５参照）。
【００１３】
この特許文献５による偽造防止用画像形成体は、各々の単位画素において万線パターンのピッチ及び角度を異ならせることにより、複数の潜像画像を顕像化するものではあるが、可視画像としては、一様な背景模様としか表現できない。また、複数の潜像画像がブロックによって分割されるために潜像画像を構成する実用面積が少なくなり、顕像化した画像が不鮮明になるといった問題があった。
【先行技術文献】
【特許文献】
【００１４】
【特許文献１】特許第４１３２１２２号公報
【特許文献２】特許第４０１３４５０号公報
【特許文献３】特開２００８−２０７３３５号公報
【特許文献４】特開２００４−１７４９９７号公報
【特許文献５】特開２００７−１５１２０号公報
【非特許文献１】Optical Security and Counterfeit Deterrence Techniques IV Vol.4677 ( by SPIE-The International Society for Optical Engineering )
【発明の概要】
【発明が解決しようとする課題】
【００１５】
特許文献１〜４は、同一の万線フィルタ等の判別具を用いて、印刷物と判別具の重ねる方向によって、異なる不可視画像が確認できる印刷物であるが、同一の判別具を用いるため、印刷物の真偽判別の容易性に優れる一方で、どのような不可視画像が印刷物内に埋め込まれているか容易に判別され、偽造者に複製されるおそれがあった。
【００１６】
上記、問題を解決するために、特許文献５では、二種類以上の判別具を用いて複数の不可視画像が出現する技術が開示されている。
【００１７】
しかしながら、特許文献５は、可視画像が形成された所定領域内に複数の不可視画像が埋め込むことが可能な印刷物ではなかった。また、複数の潜像画像がブロックによって分割されるために潜像画像を構成する実用面積が少なくなり、顕像化した画像が不鮮明になるものもあった。非特許文献１及び特許文献１〜４についても同様に、可視画像が形成された所定領域内に複数の不可視画像が埋め込むことが可能な印刷物ではなかった。つまり、非特許文献１及び特許文献１〜５については、不可視画像を埋め込む領域は、平坦な濃度領域に形成する必要があったために、可視画像を形成することは不可能であった。
【００１８】
本発明は、上記事情にかんがみ、特殊な画線の配列を用いることによって、可視画像が形成された領域内に四つの不可視画像を埋め込むことが可能であり、さらに、可視画像内に埋め込まれた不可視画像は、二種類以上の判別具により四つの不可視画像が視認可能であり、不可視画像の視認性は、可視画像の画線に阻害されることなく、鮮明な発現が可能な偽造防止用形成体を提供することを目的とする。
【課題を解決するための手段】
【００１９】
本発明は、基材に、第１の画線領域と第２の画線領域が第１の間隔で交互に第１の方向に配置され、第３の画線領域と第４の画線領域が第１の間隔で交互に第２の方向に配置され、第５の画線領域と第６の画線領域が第２の間隔で交互に第３の方向に配置され、第７の画線領域と第８の画線領域が第２の間隔で交互に第４の方向に配置され、隣接する前記第１の画線領域と前記第２の画線領域において、前記第１の画線領域内に第１の画線又は前記第２の画線領域内に第２の画線の一方が配置されることで第１の不可視画像が形成され、隣接する前記第３の画線領域と前記第４の画線領域において前記第３の画線領域内に第３の画線又は前記第４の画線領域内に第４の画線の一方が配置されることで第２の不可視画像が形成され、隣接する前記第５の画線領域と前記第６の画線領域において、前記第５の画線領域内に第５の画線又は前記第６の画線領域内に第６の画線の一方が配置されることで第３の不可視画像が形成され、隣接する前記第７の画線領域と前記第８の画線領域において、前記第７の画線領域内に第７の画線又は前記第８の画線領域内に第８の画線の一方が配置されることで第４の不可視画像が形成されることを特徴とする偽造防止用形成体である。
【００２０】
本発明は、前記第１の画線と前記第２の画線の面積が同一又は略同一で、かつ、色彩が等色であり、前記第３の画線と前記第４の画線の面積が同一又は略同一で、かつ、色彩が等色であり、前記第５の画線と前記第６の画線の面積が同一又は略同一で、かつ、色彩が等色であり、前記第７の画線と前記第８の画線の面積が同一又は略同一で、かつ、色彩が等色であることを特徴とする偽造防止用形成体である。
【００２１】
本発明は、前記第１の画線領域、前記第２の画線領域、前記第３の画線領域、前記第４の画線領域、前記第５の画線領域、前記第６の画線領域、前記第７の画線領域及び前記第８の画線領域において、いずれかの領域が交差する領域はいずれの画線も形成しないことを特徴とする偽造防止用形成体である。
【００２２】
本発明は、前記第１の画線、前記第２の画線、前記第３の画線、前記第４の画線、前記第５の画線、前記第６の画線、前記第７の画線及び前記第８の面積が同一又は略同一で、かつ、色彩が等色であることを特徴とする偽造防止用形成体である。
【００２３】
本発明は、前記第１の画線の前記第２の画線の色彩と、前記第３の画線の前記第４の画線の色彩と、前記第５の画線の前記第６の画線の色彩と、前記第７の画線の前記第８の画線の色彩が相互に異なることを特徴とする偽造防止用形成体である。
【００２４】
本発明は、前記第１の画線、前記第２の画線、前記第３の画線、前記第４の画線、前記第５の画線、前記第６の画線、前記第７の画線及び前記第８の画線の画線幅と、前記交差する領域の幅が略同一であることを特徴とする偽造防止用形成体である。
【００２５】
本発明は、前記第１の方向に対して、第２の方向は９０度、第３の方向は４５度、第４の方向は１３５度で形成されることを特徴とする偽造防止用形成体である。
【００２６】
本発明は、前記第１の画線、前記第２の画線、前記第３の画線、前記第４の画線、前記第５の画線、前記第６の画線、前記第７の画線及び前記第８の画線の画線は、それぞれ長方形の形状、それぞれ楕円形の形状、それぞれ半円形以下の形状、それぞれ多角形の形状であることを特徴とする偽造防止用形成体である。
【００２７】
本発明は、前記第１の画線、前記第２の画線、前記第３の画線、前記第４の画線、前記第５の画線、前記第６の画線、前記第７の画線及び前記第８の画線が、光輝性材料を含むインキで印刷され、前記第１の画線、前記第２の画線、前記第３の画線、前記第４の画線、前記第５の画線、前記第６の画線、前記第７の画線及び前記第８の画線の少なくとも一部の画線上に、無色透明材料を用いてベタ刷りにより所望の模様を形成することを特徴とする偽造防止用形成体である。
【００２８】
本発明は、前記第１の画線領域、前記第２の画線領域、前記第３の画線領域、前記第４の画線領域、前記第５の画線領域、前記第６の画線領域、前記第７の画線領域及び前記第８の画線領域が存在しない領域に配置された第９の画線領域を更に有し、前記第９の画線領域に第９の画線が形成されることにより可視画像が形成されることを特徴とする偽造防止用形成体である。
【００２９】
本発明は、前記第９の画線が、光輝性材料を含むインキで印刷され、前記第９の画線の少なくとも一部の画線上に、無色透明材料を用いてベタ刷りにより所望の模様を形成することを特徴とする偽造防止用形成体である。
【００３０】
本発明は、前記第１の画線、前記第２の画線、前記第３の画線、前記第４の画線、前記第５の画線、前記第６の画線、前記第７の画線及び前記第８の画線は、光輝性材料を含むインキで印刷され、前記第９の画線上に、前記第９の画線と同じ若しくは小さい画線面積から成る任意の有色インキで印刷された第１０の画線を更に備え、前記第１０の画線によって第２の可視画像が形成されていることを特徴とする偽造防止用形成体である。
【発明の効果】
【００３１】
本発明の印刷物は、可視画像が形成された領域内に四つの不可視画像を埋め込むことが可能である。埋め込まれた四つの不可視画像は、二種類以上の判別具によって四つの不可視画像が視認可能であるため、鑑別者には印刷物の真偽判別の容易性に優れるとともに、偽造者には一つの判別具によって、その判別具に対応した不可視画像が形成されていることがわかったとしても、他の判別具に対応した不可視画像が埋め込まれていることに容易に気づかれることがないため、偽造することが困難である。
【００３２】
さらに、本発明の印刷物は、可視画像が形成された領域内に四つの不可視画像が埋め込まれた印刷物であるにもかかわらず、特殊な画線の配列（特に、交差する領域（空間部）を設ける）を用いることによって、判別具を重ねた場合に、不可視画像が可視画像の画線や他の不可視画像の画線よって視認性が阻害されず、鮮明に発現することが可能なため、鑑別者は容易に真偽判別することができる。
【図面の簡単な説明】
【００３３】
【図１】本発明の実施の形態１〜４による印刷物と判別具とを示す斜視図。
【図２】同印刷物を目視により観察した時に視認される模様の一例を示す説明図。
【図３】同印刷物に所定の角度で判別具を重ね合わせた時に視認される模様の一例を示す説明図。
【図４】同印刷物に所定の角度に対して９０度を成す角度をもって判別具を重ね合わせた時に視認される模様の一例を示す説明図。
【図５】同印刷物に所定の角度に対して４５度を成す角度をもって判別具を重ね合わせた時に視認される模様の一例を示す説明図。
【図６】同印刷物に所定の角度に対して１３５度を成す角度をもって判別具を重ね合わせた時に視認される模様の一例を示す説明図。
【図７】本発明の実施の形態１〜４すべてに関わる基本的な画線構成を示す図。
【図８】本発明の実施の形態１〜４すべてに関わる印刷物上にレンチキュラーレンズを重ね合わせて目視で観察する様子を示す説明図。
【図９】１６種類のｕｎｉｔ（ａ）〜（ｐ）をマトリクス状に規則的に配置するための図形領域を示す説明図。
【図１０】実施の形態１における印刷物に印刷された印刷模様３を構成するマトリクス状に配置されるｕｎｉｔを示す模式図。
【図１１】図１０の模式図に示される画線の配置に基づいて実施の形態１における１６種類のｕｎｉｔ（ａ）〜（ｐ）の画線構成を示す説明図。
【図１２】実施の形態２における印刷物に印刷された印刷模様３を構成するマトリクス状に配置されるｕｎｉｔを示す模式図。
【図１３】光輝性材料から成る画線Ａ、画線Ｂ、画線Ｃ、画線Ｄ、画線Ａ’、画線Ｂ’、画線Ｃ’、画線Ｄ’及び画線Ｅと、有色インキから成る画線Ｆが印刷されている状態を示した図。
【図１４】印刷物１を拡散光領域と正反射光領域とで観察したときのそれぞれの照明光源１０と視点１１と印刷物１の三つの位置関係を示す説明図。
【図１５】拡散光領域で印刷物１を目視で観察した場合と、正反射光領域で印刷物１を目視で観察した場合とを示す説明図。
【図１６】拡散光領域で印刷物１を目視で観察した場合と、正反射光領域で印刷物１を目視で観察した場合とを示す説明図。
【図１７】画線の形状の一例を示す説明図。
【発明を実施するための形態】
【００３４】
以下、本発明の実施の形態１〜４による偽造防止用形成体について、図面を用いて説明する。しかし、本発明は、以下に述べる実施の形態１〜４に限定されるものではなく、特許請求の範囲に記載された技術的思想の範囲内であれば、その他のいろいろな実施の形態が含まれる。
【００３５】
本発明の実施の形態１〜４による偽造防止用形成体は、図１に示されたように、印刷物１に第１の判別具２ａまたは第２の判別具２ｂを重ね合わせることにより、容易に不可視画像を発現させて真偽性を判別することができるものである。第１の判別具２ａ及び第２の判別具２ｂは、透明性を有するフィルタに複数の直線が万線状に一方向に沿って形成された万線フィルタ又はレンチキュラーレンズ等である。印刷物１の印刷模様３を通常の可視条件において目視により観察すると、図２に示されたように、任意の図形及び文字等から成る模様４が視認される。そして、印刷物１上に第１の判別具２ａを所定の角度（これを０度とする）をもって重ね合わせると、図３（ａ）又は図３（ｂ）に示されたような第１の不可視画像５が可視画像となって発現する。また、印刷物１上に第１の判別具２ａを所定の角度に対して９０度を成す角度をもって重ね合わせると、図４（ａ）又は図４（ｂ）に示されたような第２の不可視画像６が可視画像となって発現される。さらに、印刷物１上に第２の判別具２ｂを所定の角度に対して４５度を成す角度をもって重ね合わせると、図５（ａ）又は図５（ｂ）に示されたような第３の不可視画像７が可視画像となって発現する。さらに、印刷物１上に第２の判別具２ｂを所定の角度に対して１３５度を成す角度をもって重ね合わせると、図６（ａ）又は図６（ｂ）に示されたような第４の不可視画像８が可視画像となって発現する。図３（ａ）又は図３（ｂ）、図４（ａ）又は図４（ｂ）、図５（ａ）又は図５（ｂ）、図６（ａ）又は図６（ｂ）に示されるようにネガポジ状のどちらかに見えるのは、判別具２と印刷物１との間の相対的な位置によって生ずるものであり、本発明の効果の範囲内である。
【００３６】
本発明における基本的な画線構成は、図７の印刷模様３に示されるような二種類の間隔の配列から成る微細な画線群である。第１の間隔Ｓａと第２の間隔Ｓｂとはそれぞれ異なる間隔を成すものである。この第１の間隔Ｓａ及び第２の間隔Ｓｂ二種類の間隔の配列において、万線フィルタ又はレンチキュラーレンズ等の第１の判別具２ａの有効角度は、図３及び図４の説明で示された角度と同様に、線Ｌ１の角度を０度、線Ｌ２の角度を９０度となり、第２の判別具２ｂの有効角度は、図５及び図６の説明で示された角度と同様に、線Ｌ３の角度を４５度、線Ｌ４の角度を１３５度となる。線Ｌ１と線Ｌ２の交差部及び線Ｌ３と線Ｌ４の交差した部分は空間部９となっている。この空間部（交差する領域）９は印刷される画線が存在しない領域である。空間部（交差する領域）９の幅は、第１の画線、第２の画線、第３の画線、第４の画線、前記第５の画線、前記第６の画線、前記第７の画線及び前記第８の画線の画線幅と、略同一であることが好ましい。空間部９を設けた偽造防止用形成体の効果は、埋め込む画像が二つであっても、三つであってもの数に限定されることなく、効果を得ることができる。
【００３７】
また、空間部９は線Ｌ１と線Ｌ２の交差部及び線Ｌ３と線Ｌ４の交差した部分に存在するものであり、図７においては、線Ｌ１と線Ｌ２の交差部分と、線Ｌ３と線Ｌ４の交差部分とが共有する空間部９となっているが、必ずしも共有しなくともよい。ただし、本発明を有効に作用させるには、可能な限り線Ｌ１と線Ｌ２の交差部分と、線Ｌ３と線Ｌ４の交差部分とが共有していることが望ましい。
【００３８】
第１の判別具２ａ及び第２の判別具２ｂは、透明性を有するフィルタに複数の直線が万線状に一方向に沿って形成されたものであり、図８に示されたように、図７のような構成から成る印刷模様３を、例えばレンチキュラーレンズから成る第１の判別具２ａ又は第２の判別具２ｂを印刷物１上の印刷模様３に重ね合わせ、正面から目視で観察することによって、印刷模様３に施されている第１の不可視画像、第２の不可視画像、第３の不可視画像及び第４の不可視画像のいずれかを可視画像として発現させることができる。
【００３９】
さらに、本発明は、ｕｎｉｔと称する１６種類の画線の集合体によって構成されるものである。例えば図９に示されるような図形領域に、可視画像と不可視画像を構成する画線群なら成る１６種類のｕｎｉｔ（ａ）〜（ｐ）をマトリクス状に規則的に配置することによって、第１の不可視画像５、第２の不可視画像６、第３の不可視画像７及び第４の不可視画像８が印刷模様３に適用される。このｕｎｉｔ（ａ）〜（ｐ）に含まれる画線要素は、複数の画線Ａ及び画線Ａ’のいずれか又はその複数と、複数の画線Ｂ及び画線Ｂ’のいずれか又はその複数と、複数の画線Ｃ及び画線Ｃ’のいずれか又はその複数と、複数の画線Ｄ及び画線Ｄ’のいずれか又はその複数とによって構成される。
【００４０】
（１）実施の形態１
本発明の実施の形態１による偽造防止用形成体について説明する。
図１０は、本実施の形態１における印刷物に印刷された印刷模様３を構成するマトリクス状に配置されるｕｎｉｔを示した模式図である。線Ｌ１、線Ｌ２、線Ｌ３、線Ｌ４は、判別具であるレンチキュラーレンズの中心線の角度と一致するもので、線Ｌ１は０度、線Ｌ２は９０度、線Ｌ３は４５度、線Ｌ４は１３５度となっている。また、線Ｌ１及び線Ｌ２の第１の間隔Ｓａを１としたとき、線Ｌ３及び線Ｌ４の第２の間隔Ｓｂは√２としている。本実施の形態１では、例えば第１の間隔Ｓａを３４０μｍとしたとき、第２の間隔Ｓｂは４８１μｍとしている。なお、本実施の形態１では、第１の間隔Ｓａ及び第２の間隔Ｓｂを１ｍｍ以下の寸法としている。つまり、ｕｎｉｔが正方形の形状を有する場合は、一辺の長さが１ｍｍ以下の寸法となる。
【００４１】
図１０で示されたように、画線Ａと画線Ａ’とは、線Ｌ１の角度である０度の軸もって対向しており、相互にオンオフの関係にある。このオンオフの関係とは、例えば、一方が黒（オン）のときは他方は白（オフ）、一方が有着色のときは他方は無着色であり、基本的には双方ともに黒又は双方ともに白であることがないということである。そして、画線Ａと画線Ａ’とは、面積が同一又は略同一で、かつ、色彩が等色である。このような画線Ａと画線Ａ’とが存在することで通常の可視条件下では視認されない。画線Ａのみによる不可視画像（ネガ又はポジ）、画線Ａ’のみによる不可視画像（ポジ又はネガ）がそれぞれ形成される。
【００４２】
同様に、画線Ｂと画線Ｂ’とは、線Ｌ２の軸もって対向してオンオフの関係にあり、かつ、面積が同一又は略同一で、かつ、色彩が等色である。画線Ｂのみにより第２の不可視画像（ネガ又はポジ）、画線Ｂ’のみにより第２の不可視画像（ポジ又はネガ）がそれぞれ形成される。さらに、同様に、画線Ｃと画線Ｃ’とは、線Ｌ３の角度の軸もって対向してオンオフの関係にあり、かつ、面積が同一又は略同一で、かつ、色彩が等色である。画線Ｃのみにより第３の不可視画像（ネガ又はポジ）、画線Ｃ’のみにより第３の不可視画像（ポジ又はネガ）がそれぞれ形成される。併せて、画線Ｄと画線Ｄ’とは、線Ｌ４の角度の軸もって対向してオンオフの関係にあり、かつ、面積が同一又は略同一で、かつ、色彩が等色である。画線Ｄのみにより第４の不可視画像（ネガ又はポジ）、画線Ｄ’のみにより第４の不可視画像（ポジ又はネガ）がそれぞれ形成される。
【００４３】
さらに、図１０で示すように、線Ｌ１と線Ｌ２の交差部及び線Ｌ３と線Ｌ４の交差した部分は空間部９となっている。そこに空間部９を備えていることにより、画線Ａ、画線Ａ’、画線Ｂ、画線Ｂ’、画線Ｃ、画線Ｃ’、画線Ｄ及び画線Ｄ’が重なり合うことなく配置されている。
【００４４】
次に、図９に示したｕｎｉｔ（ａ）〜（ｐ）における個別の画線構成を説明する。まず、ｕｎｉｔ（ａ）にて構成される画線は、画線Ａがオンであり、その他はオフとしている。すなわち、画線Ａ、画線Ｂ’、画線Ｃ’及び画線Ｄ’がｕｎｉｔ（ａ）における主要画線となっている。次に、ｕｎｉｔ（ｂ）にて構成される画線は、画線Ｂがオンであり、その他はオフとしている。すなわち、画線Ｂ、画線Ａ’、画線Ｃ’及び画線Ｄ’がｕｎｉｔ（ｂ）における主要画線となっている。次に、ｕｎｉｔ（ｃ）にて構成される画線は、画線Ｃがオンであり、その他はオフとしている。すなわち、画線Ｃ、画線Ａ’、画線Ｂ’及び画線Ｄ’がｕｎｉｔ（ｃ）における主要画線となっている。次に、ｕｎｉｔ（ｄ）にて構成される画線は、画線Ｄがオンであり、その他はオフとしている。すなわち、画線Ｄ、画線Ａ’、画線Ｂ’及び画線Ｃ’がｕｎｉｔ（ｄ）における主要画線となっている。次に、ｕｎｉｔ（ｅ）にて構成される画線は、画線Ａ及び画線Ｂがオンであり、その他はオフとしている。すなわち、画線Ａ、画線Ｂ、画線Ｃ’及び画線Ｄ’がｕｎｉｔ（ｅ）における主要画線となっている。次に、ｕｎｉｔ（ｆ）にて構成される画線は、画線Ａ及び画線Ｃがオンであり、その他はオフとしている。すなわち、画線Ａ、画線Ｃ、画線Ｂ’及び画線Ｄ’がｕｎｉｔ（ｆ）における主要画線となっている。次に、ｕｎｉｔ（ｇ）にて構成される画線は、画線Ａ及び画線Ｄがオンであり、その他はオフとしている。すなわち、画線Ａ、画線Ｄ、画線Ｂ’及び画線Ｃ’がｕｎｉｔ（ｇ）における主要画線となっている。次に、ｕｎｉｔ（ｈ）にて構成される画線は、画線Ｂ及び画線Ｃがオンであり、その他はオフとしている。すなわち、画線Ｂ、画線Ｃ、画線Ａ’及び画線Ｄ’がｕｎｉｔ（ｈ）における主要画線となっている。次に、ｕｎｉｔ（ｉ）にて構成される画線は、画線Ｂ及び画線Ｄがオンであり、その他はオフとしている。すなわち、画線Ｂ、画線Ｄ、画線Ａ’及び画線Ｃ’がｕｎｉｔ（ｉ）における主要画線となっている。次に、ｕｎｉｔ（ｊ）にて構成される画線は、画線Ｃ及び画線Ｄがオンであり、その他はオフとしている。すなわち、画線Ｃ、画線Ｄ、画線Ａ’及び画線Ｂ’がｕｎｉｔ（ｊ）における主要画線となっている。次に、ｕｎｉｔ（ｋ）にて構成される画線は、画線Ａ、画線Ｂ及び画線Ｃがオンであり、その他はオフとしている。すなわち、画線Ａ、画線Ｂ、画線Ｃ及び画線Ｄ’がｕｎｉｔ（ｋ）における主要画線となっている。次に、ｕｎｉｔ（ｌ）にて構成される画線は、画線Ａ、画線Ｂ及び画線Ｄがオンであり、その他はオフとしている。すなわち、画線Ａ、画線Ｂ、画線Ｄ及び画線Ｃ’がｕｎｉｔ（ｌ）における主要画線となっている。次に、ｕｎｉｔ（ｍ）にて構成される画線は、画線Ａ、画線Ｃ及び画線Ｄがオンであり、その他はオフとしている。すなわち、画線Ａ、画線Ｃ、画線Ｄ及び画線Ｂ’がｕｎｉｔ（ｍ）における主要画線となっている。次に、ｕｎｉｔ（ｎ）にて構成される画線は、画線Ｂ、画線Ｃ及び画線Ｄがオンであり、その他はオフとしている。すなわち、画線Ｂ、画線Ｃ、画線Ｄ及び画線Ａ’がｕｎｉｔ（ｎ）における主要画線となっている。次に、ｕｎｉｔ（ｏ）にて構成される画線は、画線Ａ、画線Ｂ、画線Ｃ及び画線Ｄがオンであり、その他はオフとしている。すなわち、画線Ａ、画線Ｂ、画線Ｃ及び画線Ｄがｕｎｉｔ（ｏ）における主要画線となっている。次に、ｕｎｉｔ（ｐ）にて構成される画線は、画線Ａ’、画線Ｂ’、画線Ｃ’及び画線Ｄ’がオンであり、その他はオフとしている。すなわち、画線Ａ’、画線Ｂ’、画線Ｃ’及び画線Ｄ’がｕｎｉｔ（ｋ）における主要画線となっている。
【００４５】
図１１は、図１０の模式図に示される画線の配置に基づいて本実施の形態１における１６種類のｕｎｉｔ（ａ）〜（ｐ）の画線構成を示したものである。これら１６種類のｕｎｉｔは、図９に示される画線領域（ａ）〜（ｐ）に適用される。図１１（ａ）は、本実施の形態１におけるｕｎｉｔ（ａ）を構成するものであり、画線Ａと、画線Ｂ’と、画線Ｃ’と、画線Ｄ’とで構成されている。図１１（ｂ）は、本実施の形態１におけるｕｎｉｔ（ｂ）を構成するものであり、画線Ｂと、画線Ａ’と、画線Ｃ’と、画線Ｄ’とで構成されている。図１１（ｃ）は、本実施の形態１におけるｕｎｉｔ（ｃ）を構成するものであり、画線Ｃと、画線Ａ’と、画線Ｂ’と、画線Ｄ’とで構成されている。図１１（ｄ）は、本実施の形態１におけるｕｎｉｔ（ｄ）を構成するものであり、画線Ｄと、画線Ａ’と、画線Ｂ’と、画線Ｃ’とで構成されている。図１１（ｅ）は、本実施の形態１におけるｕｎｉｔ（ｅ）を構成するものであり、画線Ａと、画線Ｂと、画線Ｃ’と、画線Ｄ’とで構成されている。図１１（ｆ）は、本実施の形態１におけるｕｎｉｔ（ｆ）を構成するものであり、画線Ａと、画線Ｃと、画線Ｂ’と、画線Ｄ’とで構成されている。図１１（ｇ）は、本実施の形態１におけるｕｎｉｔ（ｇ）を構成するものであり、画線Ａと、画線Ｄと、画線Ｂ’と、画線Ｃ’とで構成されている。図１１（ｈ）は、本実施の形態１におけるｕｎｉｔ（ｈ）を構成するものであり、画線Ｂと、画線Ｃと、画線Ａ’と、画線Ｄ’とで構成されている。図１１（ｉ）は、本実施の形態１におけるｕｎｉｔ（ｉ）を構成するものであり、画線Ｂと、画線Ｄと、画線Ａ’と、画線Ｃ’とで構成されている。図１１（ｊ）は、本実施の形態１におけるｕｎｉｔ（ｊ）を構成するものであり、画線Ｃと、画線Ｄと、画線Ａ’と、画線Ｂ’とで構成されている。図１１（ｋ）は、本実施の形態１におけるｕｎｉｔ（ｋ）を構成するものであり、画線Ａと、画線Ｂと、画線Ｃと、画線Ｄ’とで構成されている。図１１（ｌ）は、本実施の形態１におけるｕｎｉｔ（ｌ）を構成するものであり、画線Ａと、画線Ｂと、画線Ｄと、画線Ｃ’とで構成されている。図１１（ｍ）は、本実施の形態１におけるｕｎｉｔ（ｍ）を構成するものであり、画線Ａと、画線Ｃと、画線Ｄと、画線Ｂ’とで構成されている。図１１（ｎ）は、本実施の形態１におけるｕｎｉｔ（ｎ）を構成するものであり、画線Ｂと、画線Ｃと、画線Ｄと、画線Ａ’とで構成されている。図１１（ｏ）は、本実施の形態１におけるｕｎｉｔ（ｏ）を構成するものであり、画線Ａと、画線Ｂと、画線Ｃと、画線Ｄとで構成されている。図１１（ｐ）は、本実施の形態１におけるｕｎｉｔ（ｐ）を構成するものであり、画線Ａ’と、画線Ｂ’と、画線Ｃ’と、画線Ｄ’とで構成されている。
【００４６】
本実施の形態１は、図１１に示される画線の配置と構成をもって図９に示される各々の領域に適用されたものである。これによって、図８に示されたように、例えば、レンチキュラーレンズから成る第１の判別具２ａ又は第２の判別具２ｂを印刷物１上の印刷模様３に重ね合わせ、正面から目視で観察することによって、図３に示された第１の不可視画像５、又は図４に示された第２の不可視画像６、又は図５に示された第３の不可視画像７、又は図６に示された第４の不可視画像８のそれぞれが可視画像となって発現される。
【００４７】
本実施の形態１によれば、印刷物上に二種類の判別具をそれぞれ重ね合わせることによって、画線Ａ及びＡ’、画線Ｂ及びＢ’、画線Ｃ及びＣ’、画線Ｄ及びＤ’で形成される不可視画像を容易に、かつ、鮮明に発現させることが可能である。また、不可視画像を鮮明に発現させる要素として、図１０に示された空間部９を備えている。これにより、判別具を重ねた際、判別具が確実に目的とする画線を捕らえるため、不可視画像が鮮明に発現される。なお、本実施の形態１では、線Ｌ１及び線Ｌ２の第１の間隔Ｓａを１としたとき、線Ｌ３及び線Ｌ４の第２の間隔Ｓｂは√２としているので、線Ｌ１と線Ｌ２の交差部分と、線Ｌ３と線Ｌ４の交差部分とが共有する空間部９となっている。
【００４８】
また、本実施の形態１によれば、図１０に示されたような画線Ｅを用いて、自由度が高く意匠性を有する鮮明な可視画像を、図２の模様４に示されたように、不可視画像の発現時における視認性を阻害することなく形成することができるため、有価証券等の印刷物においても有用である。また、印刷物上に二種類の判別具をそれぞれ重ね合わせることによって、画線Ａ及びＡ’、画線Ｂ及びＢ’、画線Ｃ及びＣ’、画線Ｄ及びＤ’で形成される不可視画像を容易、かつ、鮮明に発現させることが可能である。さらに、本発明における印刷物を構成する各画線を同一色とした単色印刷のみでも十分な偽造防止効果が得られる上に、製版及び印刷方法等について何ら限定しないため、コストを低減させることができる。
【００４９】
（２）実施の形態２
実施の形態１では、線Ｌ１と線Ｌ２の交差部分と、線Ｌ３と線Ｌ４の交差部分とが共有する空間部９となっている例で説明したが、本実施の形態２では、線Ｌ１と線Ｌ２の交差部分と、線Ｌ３と線Ｌ４の交差部分とが共有していない空間部９を有する例を説明するものである。
【００５０】
図１２は、本実施の形態２における画線の配置の一例を示した模式図である。本発明の効果を高めるには、線Ｌ１と線Ｌ２の交差部分と、線Ｌ３と線Ｌ４の交差部分の位置が等しく、また画線Ａ、画線Ａ’、画線Ｂ、画線Ｂ’、画線Ｃ、画線Ｃ’、画線Ｄ及び画線Ｄ’が重なり合わない配置が望ましいが、必ずしもその条件を満たさなくともよい。すなわち、図１２に示されたように、線Ｌ１、線Ｌ２、線Ｌ３及び線Ｌ４の全ての交差部分において空間部９が設けられていることにより、画線Ａ、画線Ａ’、画線Ｂ、画線Ｂ’、画線Ｃ、画線Ｃ’、画線Ｄ及び画線Ｄ’の一部が重なり合ったとしても実施の形態１と等しい効果を奏することを可能にしている。
【００５１】
また、本実施の形態２によれば、図１２に示されたような画線Ｅを用いて、自由度が高く意匠性を有する鮮明な可視画像を、図２の模様４に示されたように、不可視画像の発現時における視認性を阻害することなく形成することができるため、有価証券等の印刷物においても有用である。また、印刷物上に二種類の判別具をそれぞれ重ね合わせることによって、画線Ａ及びＡ’、画線Ｂ及びＢ’、画線Ｃ及びＣ’、画線Ｄ及びＤ’で形成される不可視画像を容易、かつ、鮮明に発現させることが可能である。さらに、本発明における印刷物を構成する各画線を同一色とした単色印刷のみでも十分な偽造防止効果が得られる上に、製版及び印刷方法等について何ら限定しないため、コストを低減させることができる。
【００５２】
（３）実施の形態３
実施の形態１又は実施の形態２では、レンチキュラーレンズ等の判別具を用いて視認することができる少なくとも一種類以上の不可視画像を設けた偽造防止用形成体を説明したが、実施の形態３よる偽造防止用形成体では、レンチキュラーレンズ等の判別具を用いて視認することができる不可視画像に加え、判別具を用いずとも視認できる不可視画像を施した例について説明する。
【００５３】
図１３は、本実施の形態３における画線構成を示したものである。基本的な画線構成は、図１０に示された画線の配置と同様である。図１３に画線Ａ、画線Ｂ、画線Ｃ、画線Ｄ、画線Ａ’、画線Ｂ’、画線Ｃ’、画線Ｄ’及び画線Ｅは、光輝性材料を含むインキ、例えば金属光沢を有する銀インキ等で印刷された印刷模様３を構成している。そして、印刷模様３における画線Ｅ上に、任意の有色、例えば薄紫色インキから成る画線Ｆを印刷している。この画線Ｆは、画線Ｅにて構成される可視画像とは別に、印刷物の観察条件によって現出する画像を構成するものである。本実施の形態３では、画線Ｆの配置にて「Ｎ」の文字を構成している。また、本実施の形態３における画線Ｅの画線面積は、画線Ｆと同じ乃至画線Ｆよりも大きい。なお、本実施の形態３における光輝性材料並びに有色インキは何ら限定するものではい。
【００５４】
図１４は、本実施の形態３における印刷模様３が印刷された印刷物１において、印刷物１を拡散光領域と正反射光領域とで観察したときのそれぞれの照明光源１０と視点１１と印刷物１の三つの位置関係を図示したものである。照明光源１０と視点１１と印刷物１が図１４（ａ）の位置関係にあるとき、拡散光領域で観察したことになり、照明光源１０と視点１１と印刷物１が図１４（ｂ）の位置関係にあるとき、正反射光領域で観察したことになる。
【００５５】
図１４（ａ）で示されたように、拡散光領域で印刷物１を目視で観察した場合、図１５（ａ）で示されたように、印刷模様３上に施された薄紫色の画線Ｆが視認され難くなり、主として銀インキから成る画線Ｄ及びＥで構成された可視画像１及び２が視認できる状態となる。一方、図１４（ｂ）に示されたように、正反射光領域で印刷物１を目視で観察した場合、図１５（ｂ）で示されたように、銀インキから成る画線Ａ、画線Ｂ、画線Ｃ、画線Ａ’、画線Ｂ’、画線Ｃ’、画線Ｄ及び画線Ｅは、正反射光がもたらす光輝性の作用によって明度が高まり、光輝性の作用を有さない薄紫色インキから成る画線Ｆのみが強調されて視認される。したがって、画線Ｆの配置で構成した「Ｎ」の文字が観察される。
【００５６】
（４）実施の形態４
本実施の形態４は実施の形態３と同様に、レンチキュラーレンズ等の判別具を用いて視認することができる少なくとも一種類以上の不可視画像に加え、判別具を用いずとも視認できる不可視画像を施した例について説明する。
【００５７】
本実施の形態３における基本的な画線構成は、図１０に示された画線の配置と同様であり、画線Ａ、画線Ｂ、画線Ｃ、画線Ｄ、画線Ａ’、画線Ｂ’、画線Ｃ’、画線Ｄ’及び画線Ｅは、光輝性材料を含むインキ、例えば金属光沢を有する銀インキ等で印刷された印刷模様３を構成している。そして、印刷模様３上に無色透明材料、例えば透明ニス等から成る模様Ｇを印刷している。この模様Ｇは、画線Ａ、画線Ｂ、画線Ｃ、画線Ｄ、画線Ａ’、画線Ｂ’、画線Ｃ’、画線Ｄ’及び画線Ｅの配置と特別な位置関係は無い。本実施の形態４では、模様Ｇの配置にて「Ｎ」の文字を構成している。模様Ｇは、文字、数字、図柄、絵柄、ロゴマーク等、特に限定されるものではない。なお、本実施の形態７における光輝性材料及び無色透明材料は何ら限定するものではい。
【００５８】
図１４は、本実施の形態４における印刷模様３が印刷された印刷物１において、印刷物１を拡散光領域と正反射光領域とで観察したときのそれぞれの照明光源１０と視点１１と印刷物１の三つの位置関係を図示したものである。照明光源１０と視点１１と印刷物１が図１４（ａ）の位置関係にあるとき、拡散光領域で観察したことになり、照明光源１０と視点１１と印刷物１が図１４（ｂ）の位置関係にあるとき、正反射光領域で観察したことになる。
【００５９】
図１４（ａ）で示されたように、拡散光領域で印刷物１を目視で観察した場合、図１６（ａ）で示されたように、印刷模様３上に施された無色透明材料から成る模様Ｇは完全に透過しているので、主として銀インキから成る画線Ｄ及びＥで構成された可視画像１及び２が視認できる状態となる。一方、図１４（ｂ）に示されたように、正反射光領域で印刷物１を目視で観察した場合、図１６（ｂ）で示されたように、銀インキから成る画線Ａ、画線Ｂ、画線Ｃ、画線Ｄ、画線Ａ’、画線Ｂ’、画線Ｃ’、画線Ｄ’及び画線Ｅは、正反射光がもたらす光輝性の作用によって明度が高まり、無色透明材料から成る模様Ｇの部分については、画線Ａ、画線Ｂ、画線Ｃ、画線Ｄ、画線Ａ’、画線Ｂ’、画線Ｃ’、画線Ｄ’及び画線Ｅの光輝性の作用が抑制される。これにより、模様Ｇのみが光輝性の違いで強調されて視認される。したがって、模様Ｇの配置で構成した「Ｎ」の文字が観察される。模様Ｇは、文字、数字、図柄、絵柄、ロゴマーク等、特に限定されるものではない。
【００６０】
なお、本実施の形態１の偽造防止用形成体の構成である画線Ａ、画線Ｂ、画線Ｃ、画線Ａ’、画線Ｂ’、画線Ｃ’上に無色透明材料、例えば透明ニス等から成る模様を印刷してもよい。
【００６１】
実施の形態１乃至４のいずれかにおいて、例えば、０°の方向に沿って配置された画線Ａと、画線Ａと同一方向に配置された画線Ａ’が一対となって形成された第１の画線要素が一定のピッチで複数配置され、９０°の方向に沿って配置された画線Ｂと、画線Ｂと同一方向に配置された画線Ｂ’が一対となって形成された第２の画線要素が一定のピッチで複数配置され、４５°の方向に沿って配置された画線Ｃと、画線Ｃと同一方向に配置された画線Ｃ’が一対となって形成された第３の画線要素が一定のピッチで複数配置され、１３５°の方向に沿って配置された画線Ｄと、画線Ｄと同一方向に配置された画線Ｄ’が一対となって形成された第４の画線要素が一定のピッチで複数配置される。さらに、一対となって形成された画線Ａと画線Ａ’の面積が同一であり、一対となって形成された画線Ｂと画線Ｂ’の面積が同一であり、一対となって形成された画線Ｃと画線Ｃ’の面積が同一であり、一対となって形成された画線Ｄと画線Ｄ’の面積が同一の必要がある。なお、一対となって形成された画線同士の面積が同一であれば良く、画線ＡＢＣＤ、画線Ａ’Ｂ’ Ｃ’Ｄ’のそれぞれの画線面積は異なっていてもよい。さらに、ある一つの一対となって形成された画線Ａと画線Ａ’と、他の一対となって形成された画線Ａと画線Ａ’面積も異なっていてもよい。また、ある一つの一対となって形成された画線Ｂと画線Ｂ’と、他の一対となって形成された画線Ｂと画線Ｂ’面積も異なっていてもよい。同様に、ある一つの一対となって形成された画線Ｃと画線Ｃ’と、他の一対となって形成された画線Ｃと画線Ｃ’面積も異なっていてもよい。また、ある一つの一対となって形成された画線Ｄと画線Ｄ’と、他の一対となって形成された画線Ｄと画線Ｄ’面積も異なっていてもよい。
【００６２】
実施の形態１乃至４のいずれかにおいて、画線Ａと画線Ａ’からなる各々の第１の画線要素はオンオフの関係によって第１の不可視画像を形成し、画線Ａによって第１の不可視画像のポジ画像又はネガ画像の一方が形成され、画線Ａ’によって第１の不可視画像のネガ画像又はポジ画像の他方が形成される。また、画線Ｂと画線Ｂ’からなる各々の第２の画線要素はオンオフの関係によって第２の不可視画像を形成し、画線Ｂによって第２の不可視画像のポジ画像又はネガ画像の一方が形成され、画線Ｂ’によって第２の不可視画像のネガ画像又はポジ画像の他方が形成される。さらに、画線Ｃと画線Ｃ’からなる各々の第３の画線要素はオンオフの関係によって第３の不可視画像を形成し、画線Ｃによって第３の不可視画像のポジ画像又はネガ画像の一方が形成され、画線Ｃ’によって第３の不可視画像のネガ画像又はポジ画像の他方が形成される。またさらに、画線Ｄと画線Ｄ’からなる各々の第４の画線要素はオンオフの関係によって第４の不可視画像を形成し、画線Ｄによって第４の不可視画像のポジ画像又はネガ画像の一方が形成され、画線Ｄ’によって第４の不可視画像のネガ画像又はポジ画像の他方が形成される。第１の不可視画像、第２の不可視画像、第３の不可視画像及び第４の不可視画像は、文字、数字、図柄、絵柄、ロゴマーク等、特に限定されるものではない。
【００６３】
実施の形態１乃至４のいずれかにおいて、画線Ａ、画線Ｂ、画線Ｃ、画線Ｄ、画線Ａ’、画線Ｂ’、画線Ｃ’及び画線Ｄ’の形状及び色を同一の構成にすることによって、偽造防止用形成体にレンチキュラーレンズを重ねた場合において、四つの不可視画像が等色で視認される。また、別の形態としては、画線Ａと画線Ａ’から成る第１の画線要素と、画線Ｂと画線Ｂ’から成る第２の画線要素と、画線Ｃ及び画線Ｃ’から成る第３の画線要素の色が互いに異なる構成と、画線Ｄ及び画線Ｄ’から成る第４の画線要素の色が互いに異なる構成にすることによって、偽造防止用形成体にレンチキュラーレンズを重ねた場合において、四つの不可視画像がそれぞれ異なる色で視認される。この構成では可視画像の色彩と、レンチキュラーレンズを重ねて観察した場合の不可視画像の色彩が異なるため、容易に不可視画像が確認できる効果を有する。
【００６４】
実施の形態１乃至４のいずれかにおいて、図１７に示すように画線Ａ、画線Ｂ、画線Ｃ、画線Ｄ、画線Ａ’、画線Ｂ’、画線Ｃ’及び画線Ｄ’の画線の形状は、図１７（ａ）に示すようにそれぞれ長方形の形状、図１７（ｂ）に示すようにそれぞれ楕円形の形状、図１７（ｃ）に示すようにそれぞれ半円形以下の形状、図１７（ｄ）に示すようにそれぞれ多角形の形状を有することが好ましい。この形状によって、四つの不可視画像は、レンチキュラーレンズを重ねない段階での四つの不可視画像の不可視性に優れる。また、画線Ｅの画線の形状は、それぞれ円形の形状、それぞれ楕円形の形状、それぞれ半円形以下の形状、それぞれ多角形の形状を有することが好ましい。この形状によって、四つの不可視画像は、レンチキュラーレンズを重ねた場合において、四つの不可視画像の視認性が向上する。
【００６５】
以上の実施の形態から本発明の偽造防止用形成体は、基材に、第１の画線領域と第２の画線領域が第１の間隔で交互に第１の方向に配置され、第３の画線領域と第４の画線領域が第１の間隔で交互に第２の方向に配置され、第５の画線領域と第６の画線領域が第２の間隔で交互に第３の方向に配置され、第７の画線領域と第８の画線領域が第２の間隔で交互に第４の方向に配置され、隣接する第１の画線領域と第２の画線領域において、第１の画線領域内に第１の画線（画線Ａ）又は第２の画線領域内に第２の画線（画線Ａ’）の一方が配置されることで第１の不可視画像が形成され、隣接する第３の画線領域と第４の画線領域において第３の画線領域内に第３の画線（画線Ｂ）又は第４の画線領域内に第４の画線（画線Ｂ’）の一方が配置されることで第２の不可視画像が形成され、隣接する第５の画線領域と第６の画線領域において、第５の画線領域内に第５の画線（画線Ｃ）又は第６の画線領域内に第６の画線（画線Ｃ’）の一方が配置されることで第３の不可視画像が形成され、隣接する第７の画線領域と第８の画線領域において、第７の画線領域内に第７の画線（画線Ｄ）又は第８の画線領域内に第８の画線（画線Ｄ’）の一方が配置されることで第４の不可視画像が形成されることを特徴とする。また、本発明の偽造防止用形成体は上記構成に加えて、第１の画線領域、第２の画線領域、第３の画線領域、第４の画線領域、第５の画線領域、第６の画線領域、第７の画線領域及び第８の画線領域が存在しない領域に配置された第９の画線領域を更に有し、第９の画線領域に第９の画線（画線Ｅ）が形成されることにより可視画像が形成される。
【００６６】
実施の形態１、２及び４は、可視画像を形成しているが本発明はこれに限定されることなく、可視画像を形成しない形態も実施可能である。この場合は、実施の形態１、２及び４で示した画線Ｅは形成しないこととなる。
【符号の説明】
【００６７】
１            印刷物
２            判別具
２ａ            判別具
２ｂ            判別具
３            印刷模様
４            模様
５            不可視画像
６            不可視画像
７            不可視画像
８            不可視画像
９            空間部
１０            照明光源
１１            視点
Ａ            画線
Ｂ            画線
Ｃ            画線
Ｄ            画線
Ｅ            画線
Ｆ            画線
Ｇ            模様
Ｌ１            線
Ｌ２            線
Ｌ３            線
Ｌ４            線
Ｓ            間隔
Ｓａ            第１の間隔
Ｓｂ            第２の間隔
【図１】
2010253750.tif 000003
【図２】
2010253750.tif 000004
【図３】
2010253750.tif 000005
【図４】
2010253750.tif 000006
【図５】
2010253750.tif 000007
【図６】
2010253750.tif 000008
【図７】
2010253750.tif 000009
【図８】
2010253750.tif 000010
【図９】
2010253750.tif 000011
【図１０】
2010253750.tif 000012
【図１１】
2010253750.tif 000013
【図１２】
2010253750.tif 000014
【図１３】
2010253750.tif 000015
【図１４】
2010253750.tif 000016
【図１５】
2010253750.tif 000017
【図１６】
2010253750.tif 000018
【図１７】
2010253750.tif 000019